(57)【要約】【課題】  ２つの筐体が開閉自在に連結され、非接触型ICモジュールとHDDを有する携帯電子機器において、外部からの磁力や電磁波によるHDDへの影響を軽減する。【解決手段】  第１の筐体１にHDD部６を設けると共に、第２の筐体２には、ICチップ１８とアンテナコイル１９からなる非接触型ICモジュール８を設ける。キー操作部にはゴム等に電磁波遮蔽材を含有させてなるシート状のキーシートを用いる。携帯電話機１０を折り畳んだ状態では、非接触型ICモジュール８とリーダ・ライタ部との電磁波による無線通信が行われると共に、アンテナコイル１９に電磁誘導による電力を発生させるためにリーダ・ライタ部から磁力が加えられる。これらの電磁波や磁力は前記キーシートにより遮蔽される。第１の筐体１，２が開状態の場合は、HDD部６と非接触型ICモジュール８は離れているので、前記磁力や通信のための電磁波によるHDD部６への影響は少ない。【選択図】        図２
2006042142.tif 000002
【特許請求の範囲】
【請求項１】
第1の筐体と第２の筐体とが開閉自在に連結された携帯電子機器において、
前記第１の筐体に磁気記録装置を設け、前記第２の筐体に無線通信モジュールを設けたことを特徴とする電子機器。
【請求項２】
前記第1の筐体と第２の筐体とを重ね合わせて配置した閉状態において、相互に対向する前記磁気記録装置と無線通信モジュールとの間に電磁波遮蔽部材を設けたことを特徴とする請求項１記載の携帯電子機器。
【請求項３】
前記第１の筐体は少なくとも表示部を備え、前記第２の筐体は少なくともキー操作部を備えることを特徴とする請求項1又は２記載の携帯電子機器。
【請求項４】
前記キー操作部は、複数の操作キーが一体的に配置されたラバーシートに電磁波遮蔽材を含有したキーシートを含み、当該キーシートが前記電磁波遮蔽部材であることを特徴とする請求項３記載の携帯電子機器。
【請求項５】
前記無線通信モジュールは、ICチップとアンテナコイルとからなる非接触型ICモジュールであることを特徴とする請求項１から４のいずれか１項に記載の携帯電子機器。
【請求項６】
前記磁気記録装置は、ハードディスクドライブ装置であることを特徴とする請求項１から請求項５のいずれか１項に記載の携帯電子機器。
【発明の詳細な説明】
【技術分野】
【０００１】
本発明は、一方の筐体にHDD（ハードディスクドライブ装置）等の磁気記録装置を備えると共に、他方の筐体に非接触型ICモジュール等の無線通信モジュールを備えた携帯電話機等の携帯電子機器に関するものである。
【背景技術】
【０００２】
最近の携帯電話機には、無線通信機能を有する非接触型ICモジュールを備えたものや、あるいは非接触型ICモジュールを備えたICカードを着脱可能に装着するものが提案され、一部で実現されつつある。非接触型ICモジュールの用途としては、例えば鉄道の乗車券・定期券機能や電子マネー機能、プリペイド機能、身分証明書機能等に使用されている。例えば、ユーザが非接触型ICモジュールを備えた携帯電話機を駅の自動改札機に設けられたリーダ・ライタ部（読み書き装置）にかざすことで無線通信が行われ、自動的に改札を行うことができる。あるいは商品を購入する際に非接触型ICモジュールを備えた携帯電話機が店に設置してあるリーダ・ライタと無線通信することにより代金を支払うことができる。
【０００３】
一方、携帯電話機で扱うデータには、音声データ、画像データ、文字データ等があるが、近年におけるより高音質、高画質の要求に対応するためにますます大容量のメモリが必要になってきている。しかしながら、従来用いられている半導体メモリは高価であり、容量がそれ程大きくないため、比較的安価で大容量の記録が可能な磁気的な記録再生を行うHDDを用いることが考えられている。最近では、小型のHDDが開発され、携帯電話機に内蔵させることも可能になってきている（例えば、特許文献１参照。）。従って、近い将来においては、非接触型ICモジュールとHDDを内蔵した携帯電話機が実現する可能性が高い。
【特許文献１】特開平０９−６５２６８号公報
【発明の開示】
【発明が解決しようとする課題】
【０００４】
非接触型ICモジュールは、一般にIC（半導体集積回路）チップとアンテナコイルからなり、アンテナコイルはICチップとリーダ・ライタ等の外部装置と無線通信を行うと共に、外部装置から磁力を受けその電磁誘導により発生した電力をICチップの電源として給電するようになされている。上記のように非接触型ICモジュールとHDDとを内蔵した携帯電話機が例えば自動改札機を通過する場合、自動改札機のリーダ・ライタ部からは非接触型ICモジュールに向けて誘導電力発生のための一定の磁力が出ている。また、ICチップとリーダ・ライタとは電磁波による無線通信を行う。このため上記磁力や電磁波がHDDに影響を与え、データの破壊やHDDの誤動作を引き起こす虞がある。なお、このような課題は携帯電話機だけに限らず、PDAや音楽再生装置等の他の携帯電子機器にも同様にあった。
従って、本発明は上記の問題を解決し、リーダ・ライタからの磁力や電磁波がHDDに与える影響を軽減することを課題とする。
【課題を解決するための手段】
【０００５】
本発明に係る携帯電子機器は、第1の筐体と第２の筐体とが開閉自在に連結され、前記第１の筐体に磁気記録装置を設け、前記第２の筐体に無線通信モジュールを設けたことを特徴とする。
また、本発明に係る携帯電子機器は、前記第1の筐体と第２の筐体を重ね合わせて配置した閉状態において、相互に対向する前記磁気記録装置と無線通信モジュールとの間に電磁波遮蔽部材を設けたことを特徴とする。
【０００６】
さらに、本発明に係る携帯電子機器は、前記第１の筐体が少なくとも表示部を備え、前記第２の筐体が少なくともキー操作部を備えることを特徴とする。
また、本発明に係る携帯電子機器の前記キー操作部は、複数の操作キーが一体的に配置されたラバーシートに電磁波遮蔽材を含有したキーシートを含み、当該キーシートが前記電磁波遮蔽部材であることを特徴とする。
【０００７】
さらに、本発明に係る携帯電子機器は、前記無線通信モジュールは、ICチップとアンテナコイルとからなる非接触型ICモジュールであることを特徴とする。
また、本発明に係る携帯電子機器は、前記磁気記録装置は、ハードディスクドライブ装置であることを特徴とする。
【発明の効果】
【０００８】
本発明によれば、非接触型ICモジュール等の無線通信モジュールとHDD等の磁気記録装置を別々の筐体に設けることにより、両者を離して配置したので、無線通信モジュールに与えられる磁力や電磁波による磁気記録装置への影響を軽減することができる。
【発明を実施するための最良の形態】
【０００９】
以下、本発明の実施の形態を図面と共に説明する。
図1は本発明の実施の形態による２つの筐体からなる開閉式携帯電子機器としての折り畳み式携帯電話機の開状態での正面からみた外観斜視図を示す。図２は図1の折り畳み式携帯電話機の裏側から見た一部を破断した外観斜視図を示す。
図1、図２において、携帯電話機（携帯電子機器）１０は、第１の筐体１と第２の筐体２からなる。第１の筐体１と第２の筐体２とはヒンジ部３を介して折り畳み自在に連結されることにより開閉できるようになされている。閉状態において第２の筐体２と対向する第１の筐体１の対向面１ａには表示部４及びスピーカ部５が設けられると共に、第１の筐体１の内部にはHDD部（磁気記録装置）６が設けられている。また、閉状態において第１の筐体１と対向する第２の筐体２の対向面２ａにはキー操作部７及びマイクロフォン９が設けられると共に、第１の筐体２の内部には非接触型ICモジュール（無線通信モジュール）８が設けられ、さらに第２の筐体２のヒンジ部３側端部には基地局と通信するための伸縮自在のアンテナ１１が設けられている。
【００１０】
キー操作部７には、４方向キー、決定キー等を有する多機能操作キー１２、操作ガイダンスに関する操作キー１３、メールに関する操作キー１４、ウェブ接続用の操作キー１５、電話帳に関する操作キー１６、０〜９・＊♯等のキーや通話・終話を行うキーからなる操作キー１７が配置されている。非接触型ICモジュール８は、ICチップ１８とアンテナコイル１９が接続された構成となっており、例えば、第２の筐体２の対向面２ａと反対側の外面の一部を構成するバッテリーカバー（不図示）の内面側に配置されている。
【００１１】
図３はキー操作部７に用いられるキーシート２０を示す。このキーシート２０は、図示のようにシート状に形成されたラバーシート２４上に、前記各操作キー１２〜１７が一体的に設けられているものである。また、ラバーシート２４は、ゴム等の弾性材に例えばフェライト等の電磁波遮蔽材を含有させたものである。従って、このキーシート２０は電磁波遮蔽部材として機能する。
【００１２】
図４は携帯電話機１０の構成を示すブロック図であり、図１、図２と対応する部分には同一番号が付されている。
図４において、２１は全体を制御するＣＰＵ等の制御部、２２は携帯電話機１０としての通話を行うための無線通信部で、前記アンテナ１１に接続されている。２３は前記マイクロフォン９からの音声信号を処理して無線通信部２２に送ると共に、無線通信部２２で受信した音声信号を処理して前記スピーカ部５に送る音声処理部、２５はプログラム等を格納するROM、２６は処理用のRAMである。６は前記HDD部で、画像データ、音声データ等の所定のデータを格納する。８は前記非接触型ICモジュールで、自動改札機等のリーダ・ライタ部との間でデータを無線で送受信する。７は前記キー操作部、４は前記表示部である。
【００１３】
図５は第１の筐体１と第２の筐体２を折り畳んだ状態（閉状態）の携帯電話機１０の使用状態の一例を示すもので、自動改札機２７のリーダ・ライタ部２８においてデータの送受信と磁力２９を受けるときの様子を模式的に示す。
図５において、閉状態の携帯電話機１０は、図示のように第１の筐体１と第２の筐体２が重なっており、表示部４とキー操作部７とが近接対面すると共に、これら表示部４及びキー操作部７を介してHDD部６と非接触型ICモジュール８とが相互に対向するように配されている。
【００１４】
携帯電話機１０を所有するユーザは、第２の筐体２の非接触型ICモジュール８のアンテナコイル１９をリーダ・ライタ部２８の上方にかざしながら通過する。これにより非接触型ICモジュール８とリーダ・ライタ部２８との間で所定のデータの送受信が行われて自動改札処理が実行される。
また、リーダ・ライタ部２８からは非接触型ICモジュール８のアンテナコイル１９に電磁誘導による電力を発生させるための一定の磁力２９が出ている。
【００１５】
この時、第１の筐体１と第２の筐体２に別々に設けたHDD部６と非接触型ICモジュール８とを離間させることができるため、近距離で行われる非接触型ICモジュール８とリーダ・ライタ部２８との間でデータの送受信が行われても、磁力２９や電磁波によるHDD部６への影響を少なくすることができる。また開状態で使用すれば、閉状態時よりもHDD部６と非接触型ICモジュール８とをさらに離間させることができるため、磁力２９や電磁波によるHDD部６への影響をさらに少なくすることができる。
また、この磁力２９が閉状態でかざした携帯電話機１０のHDD部６に作用するようなことがあっても、HDD部６を非接触型ICモジュール８との間に配置する磁気遮蔽部材としてのキーシート２０により遮蔽されるので、この磁力２９がHDD部６に達することを防ぐことができる。また、リーダ・ライタ部２８と非接触型ICモジュール８との通信による電磁波もキーシート２０により遮蔽される。
【００１６】
なお、本実施形態では、前記電磁波遮蔽部材として、ラバーシート２４に電磁波遮蔽材を含有させたキーシート２０を用いているが、これに限ることはなく、電磁波遮蔽部材としては、例えば、第１の筐体１又は第２の筐体２の少なくとも対向面１ａ，２ａのいずれか一方に電磁波遮蔽材を用いたものであってよい。
また、非接触型ICモジュール８が例えばICカードから構成され、このICカードが携帯電話機１０に着脱可能であってもよく、また、HDD部６が携帯電話機１０に着脱可能であってもよい。
さらに、アンテナコイル１９は、携帯電話機の電池を充電するための充電装置であってもよい。
また、電磁波遮蔽材としては、フェライト以外にパーマロイ、珪素鋼、アモルファス合金等を用いてもよい。
また、本実施形態において、電磁波遮蔽材をラバーシート２４等に含有させるとしたが、電磁波遮蔽部材として電磁波遮蔽材によりなる板状体やシート状体を用いても構わない。
【００１７】
さらに、第１の筐体１と第２の筐体２を開閉する方式としては、上述した折り畳み式に限らず、筐体の厚さ方向に延びる軸線を中心として２つの筐体を回動させて開閉させる方式や、２つの筐体を相互にスライドさせて開閉させる方式であってもよい。いずれの方式においても、閉状態とは２つの筐体が重なる状態を示しており、開状態とは２つの筐体が図１、図２のように離れた状態を示している。
また、本実施形態では、第１の筐体１にHDD部６を設けると共に、第２の筐体２に非接触型ICモジュール８を設けたが、第１の筐体１に非接触型ICモジュール８を設けると共に、第２の筐体２にHDD部６を設けてもよい。
【００１８】
以上説明したように、本実施形態による携帯電話機１０によれば、HDD６と非接触型ICモジュール８を第１の筐体１と第２の筐体２とに離して設けたので、非接触型ICモジュール８のアンテナコイル１９にリーダ・ライタ部２８から加えられる磁力２９や通信のための電磁波がHDD部６に悪影響を与えることを軽減することができる。
また、キー操作部７に電磁波遮蔽材を含有するシート状のキーシート２０を用いたので、第１の筐体１と第２の筐体２の閉状態で非接触型ICモジュール８とリーダ・ライタ部２８とが通信を行っても、上記磁力２９や電磁波がHDD部６に悪影響を与えることを無くすことができる。
さらに、特に電磁波遮蔽部材を別体に設ける必要がないので、重量がかさむこともなく、また、外観のデザインが損なわれることもない。
なお、本実施形態では、携帯電話機を用いて説明したが、これに限ることはなく、携帯情報端末（PDA）等、少なくとも無線通信が可能な携帯電子機器であればよい。
【図面の簡単な説明】
【００１９】
【図１】本発明の実施の形態による折り畳み式携帯電話機の開状態での正面から見た外観図である。
【図２】図1の携帯電話機を裏側から筐体内部の一部を見た概略図である。
【図３】キーシートを示す構成図である。
【図４】本発明の実施の形態による携帯電話機の構成を示すブロック図である。
【図５】本発明の実施の形態による携帯電話機を自動改札機で使用する状態を示す側面外略図である。
【符号の説明】
【００２０】
１  第１の筐体
２  第２の筐体
４  表示部
６  HDD部（磁気記録装置）
７  キー操作部
８  非接触型ICモジュール（無線通信モジュール）
１０  携帯電話機（携帯電子機器）
１８  ICチップ
１９  アンテナコイル
２０  キーシート
２４  ラバーシート
２９  磁力
【図１】
2006042142.tif 000003
【図２】
2006042142.tif 000004
【図３】
2006042142.tif 000005
【図４】
2006042142.tif 000006
【図５】
2006042142.tif 000007